(57)【要約】【課題】大きなサイズの被読取物の画像を確実に読み取って、ユーザの読取動作の負担を減らす。【解決手段】ユーザが被読取物Ｘを画面に近づけると、被読取物Ｘの大きさが検出される。画面に、被読取物Ｘの大きさに応じて、複数の読取領域２０が表示される。複数の読取領域２０のうち、第１の読取領域Ａの表示は、他の読取領域２０と異なる。ユーザは、被読取物Ｘの一部を第１の読取領域２０に押し当てる。この領域に密着された被読取物Ｘの画像が読み取られる。読み取った画像が鮮明な画像であるかの確認が行われる。読み取りに成功すると、第２の読取領域Ｂを示すように表示が変わる。ユーザは、第２の読取領域Ｂに被読取物Ｘの一部を密着させる。読取領域２０毎に順に画像が読み取られ、読み取りの結果が確認される。全ての読取領域２０において、読み取りの成功が確認されると、読み取りが終了する。【選択図】図５
2009231856.tif 000002
【特許請求の範囲】
【請求項１】
画像を表示する画面により被読取物から画像を読み取ることができる表示装置であって、画面を通じて被読取物の画像を読み取る読取部と、読取部の動作を制御する制御部とを備え、被読取物の画像を複数回に分割して読み取るとき、制御部は、１回毎に画像の読み取りの結果を確認してから、読取部に次の読み取りを実行させることを特徴とする表示装置。
【請求項２】
制御部は、読取部からの出力に基づいて被読取部の大きさを判定し、被読取物の画像を複数回に分割して読み取るか、１度で読み取るかを決めることを特徴とする請求項１記載の表示装置。
【請求項３】
被読取物を複数回で読み取るとき、制御部は、被読取物の大きさに応じて複数の読取領域を設定して、画面に複数の読取領域を表示させ、読取部は、読取領域毎に被読取物の画像を順に読み取ることを特徴とする請求項１または２記載の表示装置。
【請求項４】
制御部は、１つの読取領域での読み取りに成功したかを確認し、成功したとき、読取部に次の読取領域での読み取りを実行させ、失敗したとき、再度同じ読取領域で読み取りを実行させることを特徴とする請求項３記載の表示装置。
【請求項５】
制御部は、読み取った画像の鮮鋭度に基づいて、読み取りの成功あるいは失敗を判断することを特徴とする請求項４記載の表示装置。
【請求項６】
制御部は、１つの読取領域において読み取った画像を分割して、分割後の各画像の鮮鋭度に基づいて成功か否かを判断し、それぞれの判断結果に基づいて読取領域全体での読み取りの成功あるいは失敗を決定することを特徴とする請求項５記載の表示装置。
【請求項７】
読み取りが実行される読取領域は、他の読取領域と異なるように表示されることを特徴とする請求項３記載の表示装置。
【請求項８】
各読取領域に、読み取りの順序が表示されることを特徴とする請求項３記載の表示装置。
【請求項９】
制御部は、被読取物が画面に近接したことを検出すると、複数の読取領域を設定して、被読取物に合わせて各読取領域を表示させることを特徴とする請求項２または３記載の表示装置。
【請求項１０】
読取部は、被読取物が画面に近づいたときに、画面への入射光の変化を検出し、制御部は、入射光の変化した画面上の領域を特定し、この領域に基づいて複数の読取領域の表示位置を決めることを特徴とする請求項９記載の表示装置。
【請求項１１】
画面が垂直に立った状態とされ、読取部は、画面に押し当てられた被読取物の画像を読み取ることを特徴とする請求項１〜１０のいずれかに記載の表示装置。
【発明の詳細な説明】
【技術分野】
【０００１】
本発明は、スキャナ機能を備えた表示装置に関する。
【背景技術】
【０００２】
近年、プレゼンテーションや会議が行われるとき、大型の表示装置が用いられる。表示装置には、資料等の画像が表示される。資料は事前にスキャナによって読み取られ、読み取られた画像はパソコン等の情報処理装置に保存される。表示するときに、資料の画像が情報処理装置から読み出され、表示装置に出力される。
【０００３】
特許文献１には、画面から画像を読み取ることができる表示装置が記載されている。資料が画面に載置されたとき、資料の画像が読み取られ、この画像を画面に表示することができる。そのため、プレゼンテーション中に提出された資料をその場で読み取ると、資料の画像をすぐに表示することができる。
【特許文献１】特開２００６−１７９９７７号公報
【発明の開示】
【発明が解決しようとする課題】
【０００４】
上記のようなスキャナ機能を備えた表示装置は、画面が垂直に立った状態で設置される。原稿や資料のような被読取物の画像を鮮明に読み取るには、被読取物を画面に密着させる必要がある。すなわち、ユーザは被読取物を画面に押しつけなければならない。
【０００５】
しかし、被読取物が大きくなると、ユーザは被読取物を押えきれなくなり、被読取物全面を画面に密着させることが困難になる。被読取物の一部の画像を鮮明に読み取ることができず、画像の読み取り失敗となる。そのため、読み取りをやり直さなければならないが、同じ失敗を繰り返すおそれがあり、ユーザに負担をかけることになる。
【０００６】
そこで、本発明は、大きなサイズの被読取物であっても、読み取りの失敗が起こりにくいように、画像を読み取れるようにした表示装置の提供を目的とする。
【課題を解決するための手段】
【０００７】
本発明は、画像を表示する画面により被読取物から画像を読み取ることができる表示装置であって、画面を通じて被読取物の画像を読み取る読取部と、読取部の動作を制御する制御部とを備えたものである。被読取物の画像を複数回に分割して読み取るとき、制御部は、１回毎に画像の読み取りの結果を確認してから、読取部に次の読み取りを実行させる。
【０００８】
大きなサイズの被読取物の画像を読み取るとき、ユーザにとって、被読取物全体を画面に密着させることは困難である。特に、画面が垂直に立った状態とされた表示装置では、ユーザは被読取物全体を画面に押し当てることができず、被読取物の一部は画面から離れてしまう。
【０００９】
そこで、制御部は、このような被読取物の画像の読み取りを複数回に分けて、読取部に実行させる。そして、制御部は、１回毎に確実に読み取られたことを確認できないと、次の読み取りを行わない。このように、大きなサイズの被読取物を疑似的に複数に分割することにより、１回で読み取られる画像のサイズは小さくなる。ユーザは被読取物の一部だけを画面に密着させればよい。読取部は、画面に押し当てられた被読取物の画像を読み取る。したがって、被読取物の画像を部分的に確実に読み取ることができる。そして、複数の画像を読み取ることにより、被読取物全体の画像が読み取られる。
【００１０】
制御部は、読取部からの出力に基づいて被読取部の大きさを判定し、被読取物の画像を複数回に分割して読み取るか、１度で読み取るかを決める。小さいサイズの被読取物であれば、被読取物全体を画面に密着できるので、画像を分割することなく、１回だけの読み取りが行われる。
【００１１】
被読取物を複数回で読み取るとき、制御部は、被読取物の大きさに応じて複数の読取領域を設定して、画面に複数の読取領域を表示させ、読取部は、読取領域毎に被読取物の画像を順に読み取る。ユーザが、１つの読取領域において、被読取物の一部を画面に密着させると、被読取物の部分的な画像が読み取られる。全ての読取領域での読み取りが終了すると、被読取物全体の画像が読み取られる。
【００１２】
制御部は、１つの読取領域での読み取りに成功したかを確認し、成功したとき、読取部に次の読取領域での読み取りを実行させ、失敗したとき、再度同じ読取領域で読み取りを実行させる。読み取りの成功あるいは失敗の判定を行うことにより、画像の読取結果の確認が行われる。読み取りに失敗した場合は、読み取りに成功するまで、次の読取領域での読み取りが行われない。
【００１３】
制御部は、読み取った画像の鮮鋭度に基づいて、読み取りの成功あるいは失敗を判断する。被読取物が画面に密着していれば、読み取られた画像を鮮明となり、鮮鋭度は高くなる。この場合、読み取りは成功と判定される。被読取物が十分に画面に密着していないと、読み取られた画像は不鮮明となり、鮮鋭度は低くなる。この場合、読み取りは失敗と判定される。
【００１４】
制御部は、１つの読取領域において読み取った画像を分割して、分割後の各画像の鮮鋭度に基づいて成功か否かを判断し、それぞれの判断結果に基づいて読取領域全体での読み取りの成功あるいは失敗を決定する。読み取った画像は均一ではないので、細分化して判断し、それぞれの結果を総合的に判断することにより、画像の読取結果の判定精度を高めることができる。
【００１５】
読み取りが実行される読取領域は、他の読取領域と異なるように表示される。すなわち、制御部は、読み取りが行われる読取領域を他の領域と比べて目立つように表示させる。ユーザは、どの読取領域で読み取りが行われるのか一目で認識できる。
【００１６】
各読取領域に、読み取りの順序が表示される。すなわち、制御部は、各読取領域の順番を表示させる。次の読み取りがどの領域で行われるかをユーザに知らせることができる。
【００１７】
制御部は、被読取物が画面に近接したことを検出すると、複数の読取領域を設定して、被読取物に合わせて各読取領域を表示させる。被読取物が画面に密着する前に、読取領域が表示される。ユーザは、表示された読取領域に合わせて被読取物を位置決めして、画面に密着させることができる。
【００１８】
読取部は、被読取物が画面に近づいたときに、画面への入射光の変化を検出し、制御部は、入射光の変化した画面上の領域を特定し、この領域に基づいて複数の読取領域の表示位置を決める。被読取物が画面に近づいたとき、画面から発せられた光は被読取物によって反射され、画面に入射する。読取部はこの入射光を検出することにより、画面に密着した被読取物だけでなく、画面に近接した被読取物も読み取ることができる。
【発明の効果】
【００１９】
本発明によると、大きなサイズの被読取物の画像を読み取るとき、複数回に分割することにより、小さなサイズで画像を読み取ることができる。１回の読み取りを失敗する可能性は低くなり、その結果、ユーザが再読み取り動作する必要をなくすことができ、ユーザの負担を減らすことができる。
【発明を実施するための最良の形態】
【００２０】
本実施形態の表示装置を図１に示す。表示装置１は、大型の表示パネル２を有する表示部３を備えている。表示部３は、移動可能な台座４に脚５を介して搭載される。表示パネル２は垂直に立った状態で設置される。ユーザは、垂直に立った画面に向き合う。
【００２１】
そして、表示装置１は、表示パネル２の画面から画像を読み取るスキャナ機能を有しており、図２に示すように、表示装置１は、画面上の被読取物の画像を読み取る読取部６と、画像の表示および画像の読み取りを制御する制御部７とを備えている。
【００２２】
表示部３は、制御部７からの指示により、ＬＣＤからなる表示パネル２を駆動する。表示パネル２の画面に画像が表示される。読取部６は、画面内に設けられたエリアセンサを有する。図３に示すように、画面を構成する液晶層１０とバックライト１１との間に複数の光センサ１２が配される。複数の光センサ１２がＸＹ平面に等間隔に配列されて、エリアセンサが形成される。光センサ１２にバックライト１１の光が直接入射しないように、光センサ１２とバックライト１１との間に遮光層１３が形成される。
【００２３】
表示パネル２の画面上に、原稿、資料等の表面に画像が形成された被読取物が接触すると、バックライト１１の光が被読取物の表面で反射し、この光が光センサ１２に入射する。各光センサ１２から出力された検出信号が、画像データとしてエリアセンサに取り込まれる。このようにして、読取部６は、被読取物の画像を読み取り、制御部７に画像データを出力する。
【００２４】
読取部６は、画面に接触した被読取物の画像を読み取るだけでなく、被読取物が画面に近接した状態であっても画像を読み取ることが可能である。被読取物が画面に近接したとき、画面から発せられた光が被読取物の表面で反射し、画面に入射した光を光センサ１２が受光する。ただし、文字等の画像を鮮明に読み取ることはできないが、被読取物の輪郭を反射光の有無によって明確に読み取ることができる。したがって、読取部６は、被読取物を含む物体が画面に触れる前に、物体が近づいたことを検出することができる。
【００２５】
また、表示装置１は、ネットワークを通じて通信を行う通信部８および入力された画像を記憶する記憶部９を備えている。表示装置１は、図４に示すように、ＬＡＮ、ＷＡＮといったネットワークに接続される。ネットワークには、パソコン、サーバ、携帯情報端末といった情報処理装置１５や画像処理装置１６が接続されている。ネットワークは、さらにインターネットに接続される。
【００２６】
表示装置１は、ネットワークおよびインターネットを通じて情報処理装置１５や画像処理装置１６と通信可能とされる。制御部７は、通信部９を制御して通信を行うことにより、読み取った画像を情報処理装置１５あるいは画像処理装置１６に出力する。記憶部８は、ハードディスク装置あるいはメモリとされ、通信部９を通じて受け取った画像や読取部６により読み取った画像を記憶する。
【００２７】
ここで、読み取った画像に対して、印刷、表示、送信、保存といった処理が行われる。このような処理を行うために、表示装置１は、読み取った画像を各処理に応じて決められた出力先に出力する。出力先として、印刷の場合、画像処理装置１６、表示の場合、自装置の表示部３あるいは他の装置の表示部、電子メール、データ転送等の送信の場合、情報処理装置１５あるいは画像処理装置１６、保存の場合、自装置内の記憶部８あるいは他の装置の記憶部である。
【００２８】
本表示装置では、被読取物の画像を読み取るとき、１つの被読取物を複数回に分けて読み取るように、ユーザを案内する。図５に示すように、画面に読み取る箇所を明示する複数の読取領域２０が表示される。ユーザが１つの読取領域２０に被読取物Ｘの一部を密着させると、この領域２０において画像が読み取られる。ユーザは、それぞれの読取領域２０に順に被読取物Ｘを押し付けていく。全ての読取領域２０での読み取りが終了すると、被読取物全体が読み取られたことになる。これによって、大きなサイズの被読取物Ｘに対して、読み取りに失敗することなく、鮮明な画像を読み取ることができる。なお、図中、Ａは現在読み取り可能な読取領域、Ｂは次の読取領域、Ｙはユーザの手を示す。
【００２９】
このような分割読取モードを実行するために、制御部７は、読取部６によって被読取物の近接が検出されたときに、被読取物の大きさに基づいて分割読取モードを実行するか否かを決める。このモードを実行するとき、制御部７は、被読取物の大きさに応じて複数の読取領域２０を設定して、被読取物の近接位置に対応する画面上の表示位置を決めて、表示位置に各読取領域２０が表示されるように表示部３を制御する。
【００３０】
そして、制御部７は、各読取領域２０での読み取り順を決め、個別に被読取物の画像の一部を読み取るように読取部６を制御する。このとき、制御部７は、ユーザに対して、いずれの読取領域２０において読み取りが行われるのか知らせるために、読み取りが実行される読取領域２０と読み取りを行わない読取領域２０との表示を異ならせる。
【００３１】
被読取物の画像を読み取るときの手順を図６にしたがって説明する。表示装置１はプレゼンテーション等において使用される。ユーザが、表示したい書類等の被読取物を画面に押し当てる。被読取物が画面に触れる前に、読取部６は、被読取物からの反射光によって光センサ１２の受光量が変化することにより、画面に何かが近づいたことを検出する（Ｓ１００）。制御部７は、読取部６からの検出信号により、近づいてきたものを判別する。
【００３２】
制御部７は、読取部６により取得された画像データに基づいて、被読取物の輪郭を識別する。まず、制御部７は、入力された画像データに対して空間フィルタ（微分フィルタ）によりエッジ強調処理を行い、被読取物の画像のエッジを抽出する（Ｓ１０３）。
【００３３】
図７に示すように、読み取った画像に、被読取物のエッジ２１が表れ、被読取物に対応した閉領域２２が形成される。そこで、制御部７は、抽出されたエッジ２１で囲まれている閉領域２２を特定する（Ｓ１０５）。そして、制御部７は、閉領域２２の大きさを特定する（Ｓ１１０）。すなわち、閉領域２２のＸＹ座標から、最大座標（Ｘｍａｘ，Ｙｍａｘ）と最小座標（Ｘｍｉｎ，Ｙｍｉｎ）を算出する。最大座標と最小座標の差分値を計算し、差分値が閾値以上であるか否かを判定する。閾値は、被読取物と認められる最小の大きさに設定される。例えば、名刺サイズを想定して、閾値は５０ｍｍ×５０ｍｍに設定される。
【００３４】
制御部７は、差分値が閾値以上であれば、被読取物であると判断する。閾値より小さいとき、被読取物でないと判断する。このとき、被読取物以外の物、例えば指やペンが触れたと認識される。被読取物でない場合、読取動作は中止される。
【００３５】
制御部７は、被読取物であると認識すると、分割読取モードを実行するか否かを判断する（Ｓ１１５）。すなわち、特定された被読取物の大きさと分割基準値とを比較して、実行の可否を判断する。分割基準値は、分割が必要な最小の大きさに設定される。例えば、Ａ３サイズに設定される。被読取物の大きさが例えばＡ２サイズやＡ３サイズのように分割基準値以上であると、分割読取モードが実行される。被読取物の大きさが例えばＡ４サイズのように分割基準値より小さいＡ３未満のサイズのとき、通常の読み取りが実行される。すなわち、１回で画像が読み取られる。
【００３６】
分割読取モードを実行するとき、制御部７は、被読取物の大きさに応じて読取領域２０を設定する（Ｓ１２０）。まず、被読取物の大きさに基づいて、読取領域２０の個数および配置を決める。すなわち、制御部７は、被読取物に対応する閉領域２２を等分割できる個数を決め、閉領域２２の中心に対して、対称となる配置を決める。図５に示すように、読取領域２０が４つの場合には、閉領域２２が上下左右対称に４等分される。被読取物の大きさが大になるほど、分割数は増える。
【００３７】
そして、制御部７は、読取領域２０を設定すると、表示部３に各読取領域２０を表示させる。このとき、制御部７は、読取領域２０の表示位置を設定する。被読取物に対応して閉領域２２が形成されるので、この閉領域２２内が表示位置とされる。画面上の被読取物が触れる位置に合わせて、複数の読取領域２０が表示される。
【００３８】
また、制御部７は、読取順序を設定し、各読取領域２０に順序を表示させる。表示部３は、読取領域２０内に順番を表示する。さらに、読取領域２０の外側にも順番を表示する。被読取物が画面の読取領域２０に押し当てられたときでも、ユーザは順番を見ることができる。
【００３９】
分割読取モードを実行しないとき、制御部７は、閉領域２２全体を読取領域２０に設定して、読取領域２０を画面に表示させる（Ｓ１２５）。表示部３は、被読取物の位置に合わせて１つの読取領域２０を画面に表示する。
【００４０】
制御部７は、読取領域２０における画像の読み取りを開始させる。まず、制御部７は、読取順序を示す値をｎ＝１に設定して、第１の読取領域２０において画像を読み取るように読取部６に指示する（Ｓ１３０）。このとき、制御部７は、読み取りが実行される第１の読取領域２０の表示形態を他の読取領域２０の表示形態と異ならせる。第１の読取領域２０は、網点のようなパターン表示されたり、目立つ色にカラー表示される。他の読取領域２０は黒く表示される。なお、読取領域２０内の順番は、ユーザから視認できるように表示される。
【００４１】
ユーザは、両手で被読取物を画面に押し当てる。読み取り可能な領域２０がわかるように表示されているので、ユーザは、画面を見ながら、この領域２０に対向する被読取物の一部を画面に押し付ける。これによって、被読取物の一部を正しく画面に密着させることができる。
【００４２】
第１の読取領域２０での読み取りが行われる（Ｓ１４０）。読取部６は、画面を通じて被読取物の画像を読み取る。このとき、読取部６は、第１の読取領域２０だけで読み取りを行う。この領域に対応する光センサを動作させることにより、画面の一部だけで画像を読み取ることができる。なお、読取部６は、画面全体から画像を読み取ってもよい。読取部６は、読み取った画像から第１の読取領域２０に対応する箇所の画像を抽出する。
【００４３】
読取部６は、第１の読取領域２０における画像を制御部７に出力する。制御部７は、この領域２０での読み取りの結果を確認する。すなわち、読み取りに成功したか失敗したかを判定する。判定に際して、制御部７は、読み取った画像の鮮鋭度（シャープネス）に基づいて成功あるいは失敗を判断する（Ｓ２００）。
【００４４】
画像の鮮鋭度は、画像の境界やエッジの立ち上がりの明確さの度合いを表したものである。制御部７は、読み取った画像の鮮鋭度を算出して、その大小により読取領域２０での画像の読み取りに成功したか、失敗したかを判定する。
【００４５】
この判定方法として、読取領域２０をさらに複数の部分領域に分割する。図８に示すように、部分領域Ｅｐ内の画像の最高輝度Ｌｍａｘおよび最低輝度Ｌｍｉｎの画素をそれぞれ探し出し、最高輝度と最低輝度との差ΔＬ（＝Ｌｍａｘ−Ｌｍｉｎ）を算出する。そして、この差ΔＬと閾値Ｌｔｈとを比較する。差が閾値を超えているとき、鮮鋭度は高いので、この部分領域での読み取りは成功と判定する。差が閾値以下ならば、鮮鋭度は低いので、読み取りは失敗と判定する。この判定が各部分領域において行われる。
【００４６】
制御部７は、各部分領域における判定結果が得られると、全ての部分領域に対する成功した部分領域の割合を求め、この割合が基準値を超えていると、今回の読取領域２０での画像の読み取りは成功したと判断する。この割合が基準値以下のとき、読取領域２０での読み取りに失敗したと判断する。
【００４７】
読み取りに失敗したとき、制御部７は、同じ読取領域２０での読み取りを実行させる。第１の読取領域２０において、読み取りが行われることがわかるように、メッセージの表示あるいは読取領域２０の点滅等の表示がなされ、ユーザへの再読み取りの通知が行われる（Ｓ２４０）。ユーザは、もう一度被読取物の一部を第１の読取領域２０に押し付ける。
【００４８】
第１の読取領域２０での読み取りに成功すると、制御部７は、全ての読取領域２０での読み取りが終了したかを確認する（Ｓ２０５）。分割読取モードを実行していないとき、被読取物の画像は全て読み取られたので、制御部７は、読取動作を終了する。
【００４９】
分割読取モードを実行中のとき、第１の読取領域２０での部分的な画像の読み取りに成功すると、制御部７は、次の読取領域２０での読み取りを実行する。すなわち、制御部７は、第２の読取領域２０で読み取りを行うよう読取部６に指示するとともに、この読取領域２０の表示を他の読取領域２０と異なるように表示させて、ユーザに読取領域２０を通知する（Ｓ２１０）。制御部は、読取順序を示す値をｎ＝２に設定する（Ｓ２２０）。
【００５０】
ユーザは、被読取物を画面に押し当てたまま手をずらして、被読取物を第２の読取領域２０に密着させる。第２の読取領域２０において、被読取物の画像が読み取られる。上記と同様に、読み取りの結果が判断される。これが、全ての読取領域２０に対して繰り返し行われる。全ての読取領域２０において読み取りが成功すると、制御部７は、被読取物の画像の読み取りを終了する。
【００５１】
制御部７は、複数に分けられて入力された画像を読取領域２０の配置に合わせて並べて合成し、１つの画像を形成して、記憶部８に保存する。被読取物が画面に押しつけられたまま、順に読み取りが行われるので、隣り合う画像がずれることはなく、継ぎ目のないように合成することができる。この後、制御部７は、ユーザによって指示された処理に応じて、入力された画像を指定の出力先に出力する。
【００５２】
なお、被読取物を１回で読み取る場合にも、読み取りに成功したかの判断が行われる。読み取りに失敗すれば、再読み取りが行われる。読み取りに成功したとき、読み取られた画像は指定の出力先に出力される。
【００５３】
以上のように、被読取物の画像の読み取りを分割して行うことにより、大きな被読取物であっても、被読取物の一部だけを画面に密着するので、鮮明に画像を読み取ることができる。これにより、画像の読み取りを失敗する確率が減って、ユーザに再度読み取り動作を強いることを防げる。
【００５４】
また、読み取りの結果を確認しながら次の読み取りを行うことにより、確実に画像を取得でき、再読み取りをなくすことができ、ユーザの負担を軽減できる。これによって、会議やプレゼンテーションを中断させずに画像の入力を行え、スキャナ機能付きの表示装置を大いに活用できる。
【００５５】
なお、本発明は、上記実施形態に限定されるものではなく、本発明の範囲内で上記実施形態に多くの修正および変更を加え得ることは勿論である。被読取物の画像を複数回に分割して読み取るとき、制御部は、１つの読取領域を表示させ、この読取領域において、複数回の読み取りを行うように、読取部を制御する。ユーザは、読み取りが行われるたびに被読取物をずらしながら、端から順に読取領域に押しつける。制御部は、読み取りの結果を確認しながら、複数回の読み取りを実行して、読み取られた複数の画像を合成して、１つの画像を形成する。被読取物が画面より大きい場合に有用である。
【００５６】
１ページに複数のページが縮小されて形成された原稿のように、複数の画像から構成された被読取物を読み取るときにも、分割読取モードを実行する。このような被読取物では、ページ毎に画像が分かれているので、制御部は、被読取物が画面に近づいたときに、各画像の個数と位置を検出して、各画像に対応する読取領域を画面に表示させる。ユーザは、ページ毎の画像を順に各読取領域に押し当てる。制御部は、ページ毎の画像を取得して、１つの画像に合成する。合成する代わりに、ページ毎の画像を１つの画像として、複数の画像を生成してもよい。このとき、制御部は、読み取った画像を拡大して、ページ毎に出力する。
【図面の簡単な説明】
【００５７】
【図１】本発明の表示装置の斜視図
【図２】表示装置の概略構成を示すブロック図
【図３】表示パネルの構造を示す断面図
【図４】表示装置を含むネットワークを示す図
【図５】被読取物に対応して読取領域が表示された画面を示す図
【図６】被読取物の画像を複数回に分割して読み取るときのフローチャート
【図７】読み取った被読取物の位置を判断するための図
【図８】読み取った画像の鮮鋭度に基づく判定を説明するための図
【符号の説明】
【００５８】
１    表示装置
２    表示パネル
３    表示部
６    読取部
７    制御部
８    記憶部
９    通信部
２０    読取領域
２３    第２の表示ウィンドウ
【図１】
2009231856.tif 000003
【図２】
2009231856.tif 000004
【図３】
2009231856.tif 000005
【図４】
2009231856.tif 000006
【図５】
2009231856.tif 000007
【図６】
2009231856.tif 000008
【図７】
2009231856.tif 000009
【図８】
2009231856.tif 000010